(57)【要約】      （修正有）【課題】十分な出液量を確保しつつ、小型化した液体加圧ポンプを提供する。【解決手段】ポンプ主体と電動モータで構成され、電動モータが偏心軸を駆動し、偏心軸の偏心部が押圧回転輪を介してピストンに対して輪転式の押圧動作を発生し、押圧されたピストンがピストンバルブのピストンルーム内に向けて押圧する時、連動係止片が対角位置にあるピストンをピストンルームより退出させる。偏心軸が高速回転し、各ピストンのピストンバルブのピストンルーム内での高速往復運動に、下逆止め弁のピストンがピストンルーム退出時のバルブゲートの吸引開放が組合され、及び上逆止め弁がピストンがピストンルームに圧入する時に開かれ、加圧後の液体が上凹環状溝内に圧送される。ゆえに、出液管が出液接続孔より加圧後の液体を受け取り送出する。全体として、入液接続孔から送り込まれた液体に対して、高効率の加圧効果を達成し、ポンプ体積を小型化できる。【選択図】図４
0003170418.tif 000002
【実用新案登録請求の範囲】
【請求項１】
液体加圧ポンプにおいて、該液体加圧ポンプはポンプ主体と電動モータで構成され、
該ポンプ主体は、ポンプシート、上蓋及び底蓋を包含し、
該ポンプシートの座体中心に中心孔が設けられ、該中心孔の径方向に複数の、該座体を貫通するピストンバルブ固定孔が穿たれ、並びに各該ピストンバルブ固定孔内にピストンバルブが固定され、且つ該座体の上座面と下座面に、該中心孔の周縁に添って、ピストンバルブ固定孔に連通する複数の上位置決め孔と複数の下位置決め孔が相互に対応するように設けられ、並びに各該上位置決め孔と各該下位置決め孔内に、それぞれ上逆止め弁と下逆止め弁が設けられ、並びに該座体の該上座面と該下座面上にそれぞれ出液貫通孔と入液貫通孔が設けられ、並びに該出液貫通孔と該入液貫通孔が、それぞれが座体のボデー部に設置された出液接続孔と入液接続孔に連通させられ、
各該ピストンバルブ内に、ピストンルーム内に設けられたピストンがあり、及び、排液孔と吸液孔がピストンルームの最も内端に開設されて貫通し、並びに該排液孔と該吸液孔は、ピストン固定孔を通してそれぞれ該上逆止め弁と該下逆止め弁に連通し、各該ピストンバルブ内のピストンの一端は該中心孔内に向けて延伸され、並びにそれぞれ連動係止片を介して対角のピストンと直線性の係止を構成し、各該連動係止片の板面に長円孔が設けられ、及び両端にそれぞれピストンと係合する係合部があり、並びに相互に重畳する形態で、対角にある二つのピストン間が接続され連動可能とされ、
該上蓋は該ポンプシートの上座面上に取付けられ、中心部に軸受座孔があり、並びに軸受の取付けを介して、偏心軸が設置され、且つ該上蓋の蓋体の内面端にさらに、ポンプシートの上座面の出液貫通孔及び各上位置決め孔と連通する上凹環状溝が形成され、該偏心軸の主軸体は上蓋の軸受座孔に取付けられた軸受に取付けられ、外端に電動モータの回転軸と接続される接合部があり、内端は続いて偏心部、各連動係止片の長円孔を貫通する中心棒部が形成され、該偏心部に各ピストン端部に対応し並びに自由回転を許容する押圧回転輪が設けられ、
該底蓋はポンプシートの下座面上に取付けられ、蓋体内面中心部に軸受座溝があり、並びに軸受を介して偏心軸の中心棒部が位置決めされ、且つ蓋体内面端にさらにポンプシートの下座面上の入液貫通孔及び各下位置決め孔と連通する下凹環状溝が形成され、
該電動モータは、ポンプ主体の上蓋上部に取付けられ、並びに電動モータの回転軸と偏心軸の接合部が接続されて連動し、該ポンプ主体のポンプシートのボデー部の出液接続孔と入液接続孔に出液管と入液管が接続され、並びに出液管内に加圧したい液体が通され、
電動モータの起動により偏心軸が駆動されて回転し、該偏心軸の偏心部が押圧回転輪を介し、ピストンに対して押圧の動作を発生し、押圧されたピストンがピストンバルブのピストンルーム内に向けて押圧する時、該連動係止片が対角の対応位置のピストンを引き動かしてピストンルームより退出させ、こうして、該偏心軸の高速回転により、各ピストンピストンバルブのピストンルーム内で往復運動することに、下逆止め弁がピストンがピストンルームを退出する時にバルブゲートを吸引し開くことが組み合わされて、入液接続孔に連通する下凹環状溝内の入液がピストンルーム内に吸入され、上逆止め弁はピストンがピストンルーム内に圧入する時、バルブが押し開かれ、加圧後の液体が上凹環状溝内に圧送され、ゆえに、出液管は出液接続孔より加圧後の液体を送出し使用に供し、
全体として、入液接続孔端より送り込まれる液体に対して、高効率、高性能の加圧効果を達成し、ポンプ体積を小型化したことを特徴とする、液体加圧ポンプ。
【請求項２】
請求項１記載の液体加圧ポンプにおいて、該ポンプシートの各一つのピストンバルブ固定孔内にピストンバルブが固定され、該ピストンバルブは、ピストン載置筒、ピストン及び固定ボルトを包含し、
該ピストン載置筒内に、二つのプラグリングが設けられ、該二つのプラグリングの間にＶ形リングがあり、且つ筒体の一端内縁に雌ネジ部が形成され、
該ピストンのロッドの一端はピストン載置筒内に挿入されて、二つのプラグリングにより保持され、並びに該Ｖ形リングによりピストンのボデーがシールされ、且つボデーの別端に連動係止片の係合部と係合する係合環状溝が設けられ、
該固定ボルトは雄ネジ部を具えて該ピストンバルブ固定孔にねじ込まれ、且つピストン載置筒の雌ネジ部に対応する雄ネジ部を具え、並びに該雄ネジ部により雌ネジ部と螺合されて、内部がピストン載置筒と共同で、ピストンの活動に供されるピストンルームを構成し、該ピストンルームは該上逆止め弁と該下逆止め弁に連通し、
該偏心軸の偏心部上の押圧回転輪によりピストンがピストンルーム内に向けて押圧される時、同時に連動係止片により対角位置のピストンバルブのピストンルーム内のピストンが外向きに引き出され、
ピストンの引出しによりピストンルーム内の空間が増加する時、下逆止め弁は吸引されて開き、下凹環状溝端の入液が下逆止め弁を通過し、吸液孔よりピストンルーム内に吸入され、及び、ピストン内でピストンルームの空間が縮小される時、上逆止め弁が押されて開き、ピストンルーム内の液体が排液孔より排出されて上逆止め弁を通過して上凹環状溝に送られて加圧液体を送出し、ピストンがピストンルーム内で高速で内に押し外に引っ張られる往復運動により、入液を高効率で加圧し送出することを特徴とする、液体加圧ポンプ。
【請求項３】
請求項１記載の液体加圧ポンプにおいて、該ポンプシートにあって、ピストンバルブ固定孔と連通する各上位置決め孔内に上逆止め弁が設けられ、該上位置決め孔は、上穿孔を通してピストンバルブ固定孔に連通し、且つ該上逆止め弁は、カップ形上バルブシート、上バルブゲート部品、上バネ及び上サポートフレームを包含し、
該カップ形上バルブシートは、位置決めリングを介して上位置決め孔内に固定され、座体内にバルブルームが形成され、且つ座面の一端は上穿孔と対応するように上バルブゲート孔が設けられ、該上バルブゲート部品は該カップ形上バルブシートのバルブルーム内に設けられ、ゲート体辺縁はカップ形上バルブシートのバルブルーム内で液体が通る空隙を保留し、且つ一面端は常態で該上バネの押圧により、上バルブゲート孔に対して封鎖を形成し、
該上バネの一端は上バルブゲート部品に対して押圧し、別端は該上サポートフレーム上で弾性推力を発生し、
該上サポートフレームは、複数の支持足の非密封形態でカップ形上バルブシートのバルブルーム内に取付けられて、上バネの当接に供され、且つその外端は上蓋の上凹環状溝と対向し、並びに上蓋によりカップ形上バルブシートのバルブルームからの退出が制限されて、上バネにより上バルブゲート部品に対する作用力が発生し、
ピストンが押圧回転輪によりピストンルーム内に向けて押圧されることで、排液孔より、上穿孔をとおり上バルブゲート孔に到達した加圧後の液体が排出され、すなわち、上バルブゲート部品が押圧されて上バルブゲート孔が開かれ、これにより液体が迅速に上凹環状溝へと圧送され、
この過程中、対角位置のピストンは連動係止片によりピストンルームより引き出される動作を開始し、該排液孔の発生する負圧により、上バネが上バルブゲート部品に上バルブゲート孔を封じさせる動作を補助し、即刻上凹環状溝内に圧送された加圧送出液の逆流を制限し、これにより入液の下逆止め弁からの進入を確保することを特徴とする、液体加圧ポンプ。
【請求項４】
請求項１記載の液体加圧ポンプにおいて、該ポンプシートにあって、ピストンバルブ固定孔と連通する各下位置決め孔内には下逆止め弁が設けられ、該下位置決め孔は、下穿孔を通してピストンバルブ固定孔に連通し、且つ該下逆止め弁は、カップ形下バルブシート、下バルブゲート部品、下バネ及び下サポートフレームを包含し、
該カップ形下バルブシートは、位置決めリングを介して下位置決め孔内に固定され、座体内にバルブルームが形成され、且つ座面の一端に底蓋の下凹環状溝と対応するように下バルブゲート孔が設けられ、該下バルブゲート部品は該カップ形下バルブシートのバルブルーム内に設けられ、ゲート体辺縁はカップ形下バルブシートのバルブルーム内で液体が通る空隙を保留し、且つ一端は常態で該上バネの押圧により、下バルブゲート孔に対して封鎖を形成し、
該下バネの一端は下バルブゲート部品に対して押圧し、別端は該下サポートフレームに当接して弾性推力を発生し、
該下サポートフレームは、複数の支持足の非密封形態でカップ形下バルブシートのバルブルーム内に取付けられて、下バネの当接に供され、且つ下穿孔と対向するように設置された下位置決め孔の底部によりそれに対して限定され、下バネが下バルブゲート部品に対する作用力を発生し、
ピストンにより連動係止片がピストンルームより引き出されて、ピストンルームの容積が増加すると、吸液孔の発生する吸液動作力は、下バルブゲート部品を吸引する時に、下凹環状溝内の入液をカップ形下バルブシートのゲートルームと下穿孔に流し、吸液孔よりピストンルーム内に充満させ、
この過程中、対角位置のピストンは押圧回転輪によりピストンルーム内に向けて押圧動作を開始し、該ピストンルーム内の液体が加圧された結果、下バネの反対方向の押圧の補助の下、下バルブゲート部品が下バルブゲート孔を封じ、即刻液体の下凹環状溝への逆流を阻止し、こうして加圧された液体の上逆止め弁からの送出利用を確保することを特徴とする、液体加圧ポンプ。
【請求項５】
請求項１記載の液体加圧ポンプにおいて、該電動モータはポンプ主体の上蓋の上部に取付けられ、該電動モータの取付け端にさらにブシュが固定され、該ブシュに、ポンプ主体の上蓋上部の固定孔に対応するボルト孔が設けられ、ボルトがボルト孔に通されて固定孔にねじ込まれることで、ブシュが固定され、これにより、電動モータが簡単にポンプ主体に取付けられて偏心軸を駆動する回転動力を提供することを特徴とする、液体加圧ポンプ。
【考案の詳細な説明】
【技術分野】
【０００１】
本考案は一種の液体加圧ポンプに係り、特に、ポンプ体積を小型化でき、パワーを倍増し、多種類の場所（環境）空間に符合し、高圧液体を得られる、パワー倍増型の液体加圧ポンプに関する。
【背景技術】
【０００２】
空調用途或いは園芸用途の噴霧器装置は、一般に、液体に対して加圧することで、液体を噴霧ノズルより噴出させて、理想的な噴霧効果を得る。このような液体加圧作業は、通常、液体加圧ポンプにより実行される。周知のブレード型液体ポンプは、輸液（楊程）をメインに考慮し、液圧は高くないため、噴霧器装置では良好な噴霧効果を獲得できない。
【０００３】
周知の渦巻式液体加圧ポンプは、良好な液体増圧効果を具備するとはいえ、インペラアセンブリに対する精密度要求が高く、噴霧器装置は市場では低単価の製造コストが要求されるため、経済性に符合しない問題を有する。周知のピストン式液体加圧ポンプは液体の加圧効果が良好であるが、モータが駆動するクランク軸でピストンを押し引きすることで液体に対する加圧を発生し、加圧後の液体は、一定の出液量（或いは効率）の要求を満足させなければならないため、理想的にはクランク軸に多段クランク軸部を接続した複数のクランクアームを設計する必要があり、並びに各クランクアームが一つのピストンに対する駆動を行うようにする。しかし、各クランクアームの運動が相互に干渉しないようにすることを考慮しなければならないため、クランク軸の軸長が比較的長くなり、このためにポンプの高さが高くなり、体積が大きくなり、ひいてはピストンの深さが深くなりすぎて取付け時の困難度が増加する。もし組立が容易であるクランクアーム（ピストン）数を減らす（ダブルクランクアームを採用する）と、ポンプの出液量が不足する。可能な対策としては、電動モータの馬力を増加し、ポンプ体積を増し、ピストンが運動し液体が進出する空間を大きくすることが挙げられるが、その結果、材料を消耗し、体積が過大となって重量が重くなりすぎ、各種の空間に簡単に取り付けられるようにするには不利となる。
【０００４】
ゆえに、いかに十分な出液量を確保しつつ、液体加圧ポンプを小型化するかが、業者の当面の技術的課題となっている。
【考案の概要】
【考案が解決しようとする課題】
【０００５】
本考案の目的は、十分な出液量を確保しつつ、液体加圧ポンプを小型化することにある。
【課題を解決するための手段】
【０００６】
本考案は一種のパワー倍増型の液体加圧ポンプを提供し、それは、ポンプ主体と電動モータで構成される。
該ポンプ主体は、ポンプシート、上蓋及び底蓋を包含する。
該ポンプシートの座体中心に中心孔が設けられ、該中心孔の径方向に複数の、該座体を貫通するピストンバルブ固定孔が穿たれ、並びに各該ピストンバルブ固定孔内にピストンバルブが固定され、且つ該座体の上座面と下座面に、該中心孔の周縁に添って、ピストンバルブ固定孔に連通する複数の上位置決め孔と複数の下位置決め孔が相互に対応するように設けられ、並びに各該上位置決め孔と各該下位置決め孔内に、それぞれ上逆止め弁と下逆止め弁が設けられ、並びに該座体の該上座面と該下座面上にそれぞれ出液貫通孔と入液貫通孔が設けられ、並びに該出液貫通孔と該入液貫通孔が、それぞれが座体のボデー部に設置された出液接続孔と入液接続孔に連通させられる。別に、各該ピストンバルブ内に、ピストンルーム内に設けられたピストンがあり、及び、排液孔と吸液孔がピストンルームの最も内端に開設されて貫通し、並びに該排液孔と該吸液孔は、ピストン固定孔を通してそれぞれ該上逆止め弁と該下逆止め弁に連通する。また、各該ピストンバルブ内のピストンの一端は該中心孔内に向けて延伸され、並びにそれぞれ連動係止片を介して対角のピストンと直線性の係止を構成し、各該連動係止片の板面に長円孔が設けられ、及び両端にそれぞれピストンと係合する係合部があり、並びに相互に重畳する形態で、対角にある二つのピストン間が接続され連動可能とされる。
該上蓋は該ポンプシートの上座面上に取付けられ、中心部に軸受座孔があり、並びに軸受の取付けを介して、偏心軸が設置され、且つ該上蓋の蓋体の内面端にさらに、ポンプシートの上座面の出液貫通孔及び各上位置決め孔と連通する上凹環状溝が形成されている。該偏心軸の主軸体は上蓋の軸受座孔に取付けられた軸受に取付けられ、外端に電動モータの回転軸と接続される接合部があり、内端は続いて偏心部、各連動係止片の長円孔を貫通する中心棒部が形成され、該偏心部に各ピストン端部に対応し並びに自由回転を許容する押圧回転輪が設けられている。
該底蓋はポンプシートの下座面上に取付けられ、蓋体内面中心部に軸受座溝があり、並びに軸受を介して偏心軸の中心棒部が位置決めされ、且つ蓋体内面端にさらにポンプシートの下座面上の入液貫通孔及び各下位置決め孔と連通する下凹環状溝が形成される。
該電動モータは、ポンプ主体の上蓋上部に取付けられ、並びに電動モータの回転軸と偏心軸の接合部が接続されて連動する。該ポンプ主体のポンプシートのボデー部の出液接続孔と入液接続孔に出液管と入液管が接続され、並びに出液管内に加圧したい液体が通される。
電動モータの起動により偏心軸が駆動されて回転し、該偏心軸の偏心部が押圧回転輪を介し、ピストンに対して押圧の動作を発生し、押圧されたピストンがピストンバルブのピストンルーム内に向けて押圧する時、該連動係止片が対角の対応位置のピストンを引き動かしてピストンルームより退出させる。こうして、偏心軸の高速回転により、各ピストンピストンバルブのピストンルーム内で往復運動することに、下逆止め弁がピストンがピストンルームを退出する時にバルブゲートを吸引し開くことが組み合わされて、入液接続孔に連通する下凹環状溝内の入液がピストンルーム内に吸入され、上逆止め弁はピストンがピストンルーム内に圧入する時、バルブが押し開かれ、加圧後の液体が上凹環状溝内に圧送される。ゆえに、出液管は出液接続孔より加圧後の液体を送出し使用に供する。
全体として、入液接続孔端（入液管）より送り込まれる液体に対して、高効率、高性能の加圧効果を達成し、ポンプ体積を小型化し、効果を倍増し、多種類の場面、空間で簡単に運用できる。
【０００７】
本考案の次の目的は、一種の液体加圧ポンプを提供することにあり、そのうち、該ポンプシートの各一つのピストンバルブ固定孔内にピストンバルブが固定され、該ピストンバルブは、ピストン載置筒、ピストン及び固定ボルトを包含する。
該ピストン載置筒内に、二つのプラグリングが設けられ、該二つのプラグリングの間にＶ形リングがあり、且つ筒体の一端内縁に雌ネジ部が形成されている。
該ピストンのロッドの一端はピストン載置筒内に挿入されて、二つのプラグリングにより保持され、並びに該Ｖ形リング１４６によりピストンのボデーがシールされ、且つボデーの別端に連動係止片の係合部と係合する係合環状溝が設けられている。
該固定ボルトは雄ネジ部を具えて該ピストンバルブ固定孔にねじ込まれ、且つピストン載置筒の雌ネジ部に対応する雄ネジ部を具え、並びに該雄ネジ部により雌ネジ部と螺合されて、内部がピストン載置筒と共同で、ピストンの活動に供されるピストンルームを構成する。該ピストンルームは該上逆止め弁と該下逆止め弁に連通する。
偏心軸の偏心部上の押圧回転輪によりピストンがピストンルーム内に向けて押圧される時、同時に連動係止片により対角位置のピストンバルブのピストンルーム内のピストンが外向きに引き出される。
ピストンの引出しによりピストンルーム内の空間が増加する時、下逆止め弁は吸引されて開き、下凹環状溝端の入液が下逆止め弁を通過し、吸液孔よりピストンルーム内に吸入され、及び、ピストン内でピストンルームの空間が縮小される時、上逆止め弁が押されて開き、ピストンルーム内の液体が排液孔より排出されて上逆止め弁を通過して上凹環状溝に送られて加圧液体を送出する。ピストンがピストンルーム内で高速で内に押し外に引っ張られる往復運動により、入液を高効率で加圧し送出する効果を達成する。
【０００８】
本考案はまた、一種の液体加圧ポンプを提供し、そのうち、該ポンプシート上に、ピストンバルブ固定孔と連通する各上位置決め孔内には上逆止め弁が設けられ、該上位置決め孔は、上穿孔を通してピストンバルブ固定孔に連通する。且つ該上逆止め弁は、カップ形上バルブシート、上バルブゲート部品、上バネ及び上サポートフレームを包含する。
該カップ形上バルブシートは、位置決めリングを介して上位置決め孔内に固定され、座体内にバルブルームが形成され、且つ座面の一端は上穿孔と対応するように上バルブゲート孔が設けられる。該上バルブゲート部品は該カップ形上バルブシートのバルブルーム内に設けられ、ゲート体辺縁はカップ形上バルブシートのバルブルーム内で液体が通る空隙を保留し、且つ一面端は常態で該上バネの押圧により、上バルブゲート孔に対して封鎖を形成している。
該上バネの一端は上バルブゲート部品に対して押圧し、別端は該上サポートフレーム上で弾性推力を発生する。
該上サポートフレームは、複数の支持足の非密封形態でカップ形上バルブシートのバルブルーム内に取付けられて、上バネの当接に供され、且つその外端は上蓋の上凹環状溝と対向し、並びに上蓋によりカップ形上バルブシートのバルブルームからの退出が制限されて、上バネにより上バルブゲート部品に対する作用力が発生する。
ピストンが押圧回転輪によりピストンルーム内に向けて押圧されることで、排液孔より、上穿孔をとおり上バルブゲート孔に到達した加圧後の液体が排出され、すなわち、上バルブゲート部品が押圧されて上バルブゲート孔が開かれ、これにより液体が迅速に上凹環状溝へと圧送される。
この過程中、対角位置のピストンは連動係止片によりピストンルームより引き出される動作を開始し、該排液孔の発生する負圧により、上バネが上バルブゲート部品に上バルブゲート孔を封じさせる動作を補助し、即刻上凹環状溝内に圧送された加圧送出液の逆流を制限し、これにより入液の下逆止め弁からの進入を確保する。
【０００９】
本考案はさらに一種の液体加圧ポンプを提供し、該ポンプシート上に、ピストンバルブ固定孔と連通する各下位置決め孔内には下逆止め弁が設けられ、該下位置決め孔は、下穿孔を通してピストンバルブ固定孔に連通する。且つ該下逆止め弁は、カップ形下バルブシート、下バルブゲート部品、下バネ及び下サポートフレームを包含する。
該カップ形下バルブシートは、位置決めリングを介して下位置決め孔内に固定され、座体内にバルブルームが形成され、且つ座面の一端に底蓋の下凹環状溝と対応するように下バルブゲート孔が設けられる。該下バルブゲート部品は該カップ形下バルブシートのバルブルーム内に設けられ、ゲート体辺縁はカップ形下バルブシートのバルブルーム内で液体が通る空隙を保留し、且つ一端は常態で該上バネの押圧により、下バルブゲート孔に対して封鎖を形成している。
該下バネの一端は下バルブゲート部品に対して押圧し、別端は該下サポートフレームに当接して弾性推力を発生する。
該下サポートフレームは、複数の支持足の非密封形態でカップ形下バルブシートのバルブルーム内に取付けられて、下バネの当接に供され、且つ下穿孔と対向するように設置された下位置決め孔の底部によりそれに対して限定され、下バネが下バルブゲート部品に対する作用力を発生する。
ピストンにより連動係止片がピストンルームより引き出されて、ピストンルームの容積が増加すると、吸液孔の発生する吸液動作力は、下バルブゲート部品を吸引する時に、下凹環状溝内の入液をカップ形下バルブシートのゲートルームと下穿孔に流し、吸液孔よりピストンルーム１４０内に充満させる。
この過程中、対角位置のピストンは押圧回転輪によりピストンルーム内に向けて押圧動作を開始し、該ピストンルーム内の液体が加圧された結果、下バネの反対方向の押圧の補助の下、下バルブゲート部品が下バルブゲート孔を封じ、即刻液体の下凹環状溝への逆流を阻止する。こうして加圧された液体の上逆止め弁からの送出利用を確保する。
【００１０】
本考案はまた、一種の液体加圧ポンプを提供し、そのうち該電動モータはポンプ主体の上蓋の上部に取付けられ、該電動モータの取付け端にさらにブシュが固定され、該ブシュに、ポンプ主体の上蓋上部の固定孔に対応するボルト孔が設けられ、ボルトがボルト孔に通されて固定孔にねじ込まれることで、ブシュが固定され、これにより、電動モータが簡単にポンプ主体に取付けられて偏心軸を駆動する回転動力を提供する。
【考案の効果】
【００１１】
本考案は、十分な出液量を確保しつつ、液体加圧ポンプを小型化した、液体加圧ポンプを提供している。
【図面の簡単な説明】
【００１２】
【図１】本考案の構造外観図である。
【図２】本考案の電動モータとポンプ主体の分解構造図である。
【図３】本考案のポンプ主体の分解構造図である。
【図４】本考案のポンプ主体の断面構造図である。
【図５】本考案のポンプ主体の出液接続孔部分の断面構造図である。
【図６】本考案のポンプ主体の入液接続孔部分の断面構造図である。
【図７】本考案のポンプ主体の断面内部構造表示図である。
【図８】本考案の電動モータがポンプ主体を駆動する構造表示図（一）である。
【図９】本考案の電動モータがポンプ主体を駆動する構造表示図（二）である。
【図１０】本考案のピストンバルブ構造分解図である。
【図１１】本考案の上逆止め弁構造分解図である。
【図１２】本考案の下逆止め弁構造分解図である。
【考案を実施するための形態】
【００１３】
本考案の液体加圧ポンプは、図１、２のように、ポンプ主体１０と電動モータ２０で構成される。
図３、４に示されるように、該ポンプ主体１０は、ポンプシート１１、上蓋１２及び底蓋１３を包含する。
該ポンプシート１１の座体中心に中心孔１１０が設けられ、該中心孔１１０の径方向に複数の、該座体を貫通するピストンバルブ固定孔１１１が穿たれ、並びに各該ピストンバルブ固定孔１１１内にピストンバルブ１４が固定され、且つ該座体の上座面と下座面に、該中心孔１１０の周縁に添って、該ピストンバルブ固定孔１１に連通する複数の上位置決め孔１１２と複数の下位置決め孔１１３が相互に対応するように設けられ、並びに各該上位置決め孔１１２と各該下位置決め孔１１３内に、それぞれ上逆止め弁１５と下逆止め弁１６が設けられ、図３、５、６に示されるように、並びに該座体の該上座面と該下座面上にそれぞれ出液貫通孔１１４と入液貫通孔１１５が設けられ、並びに該出液貫通孔１１４と該入液貫通孔１１５が、それぞれが該座体のボデー部に設置された出液接続孔１１６と入液接続孔１１７に連通させられる。
【００１４】
別に、図３、４に示されるように、各該ピストンバルブ１４内に、ピストンルーム１４０内に設けられたピストン１７があり、及び、排液孔１４１と吸液孔１４２がピストンルーム１４０の最も内端に開設されて貫通し、並びに該排液孔１４１と該吸液孔１４２は、ピストンバルブ固定孔１１１を通してそれぞれ該上逆止め弁１５と該下逆止め弁１６に連通する。
【００１５】
また、図３、４、７に示されるように、該各ピストンバルブ１４内のピストン１７の一端は、中心孔１１０内にに向けて延伸され、並びにそれぞれ連動係止片１８を介して対角のピストン１７と直線性の接続を構成し、各該連動係止片１８の板面に長円孔１８０が設けられ、及び両端にそれぞれピストンと係合する係合部１８１があり、並びに相互に重畳する形態で、対角にある二つのピストン間が接続され、連動可能とされる。
【００１６】
図３、４、５、６に示されるように、該上蓋１２は該ポンプシート１１の上座面上に取付けられ、中心部に軸受座孔１２０があり、並びに軸受１２１の取付けを介して、偏心軸１９が設置され、且つ蓋体の内面端にさらに、該ポンプシート１１の上座面の出液貫通孔１１４及び各上位置決め孔１１２と連通する上凹環状溝１２２が形成されている。該偏心軸１９の主軸体は上蓋１２の軸受座孔１２０に取付けられた軸受１２１に取付けられ、（図２も参照されたい）外端に電動モータ２０の回転軸２１と接続される接合部１９０があり、内端は続いて偏心部１９１、各連動係止片１８の長円孔を貫通する中心棒部１９２が形成され、該偏心部１９１に各ピストン１７端部に対応し並びに自由回転を許容する押圧回転輪１９３（軸受部材とされ得る）が設けられている。
【００１７】
該底蓋１３はポンプシート１１の下座面上に取付けられ、該底蓋１３の蓋体内面中心部に軸受座溝１３０があり、並びに軸受１３１を介して偏心軸１９の中心棒部１９２が位置決めされ、且つ蓋体内面端にさらに該ポンプシート１１の下座面上の入液貫通孔１１５及び各下位置決め孔１１３と連通する下凹環状溝１３２が形成される。
【００１８】
図１、２に示されるように、該電動モータ２０は、該ポンプ主体１０の上蓋１２上部に取付けられ、並びに電動モータ２０の回転軸２１と偏心軸１９の接合部１９０が接続され連動する。
該ポンプ主体１０のポンプシート１１のボデー部の出液接続孔１１６と入液接続孔１１７に出液管と入液管（図示せず）が接続され、並びに出液管内に加圧したい液体が通入される。
【００１９】
図８、９に示されるように、電動モータ２０が起動されて偏心軸１９が駆動されて回転し、該偏心軸１９の偏心部１９１が押圧回転輪１９３を通し、ピストン１７に対して順番に輪転式に押圧動作を発生し、押圧されたピストン１７がピストンバルブ１４のピストンルーム１４０内に向けて押圧する時、該連動係止片１８が対角の対応位置のピストンを引き動かしてピストンルーム１４０より退出させる。
こうして、偏心軸１９の高速回転により、各ピストン１７がピストンバルブ１４のピストンルーム１４０内で高速往復運動し、下逆止め弁１６がピストン１７がピストンルーム１４０を退出する時にバルブゲートを吸引し開くことが組み合わされて、入液接続孔１１７（図示せず）に連通する下凹環状溝１３２内の液体がピストンルーム１４０内に吸入され、上逆止め弁１５はピストン１７がピストンルーム１４０内に圧入する時、バルブが押し開かれ、加圧後の液体は上凹環状溝１２２内に圧送される。
【００２０】
図１に示されるように、ゆえに、出液管（図示せず）は出液接続孔１１６より加圧後の液体を送出し使用に供する。
全体として、入液接続孔１１７端（入液管）より送り込まれる液体に対して、高効率、高性能の加圧効果を達成し、ポンプ体積を小型化し、効果を倍増し、多種類の場面、空間で簡単に運用できる。
【００２１】
上述の実施例に基づき、そのうち、図３のように、該ポンプシート１１の各一つのピストンバルブ固定孔１１１内にピストンバルブ１４が固定され、該ピストンバルブ１４は、図４、１０に示されるように、ピストン載置筒１４３、ピストン１７及び固定ボルト１４４を包含する。
該ピストン載置筒１４３内に、二つのプラグリング１４５が設けられ、該二つのプラグリング１４５の間にＶ形リング１４６があり、且つ筒体の一端内縁に雌ネジ部１４７が形成されている。
該ピストン１７のロッドの一端はピストン載置筒１４３内に挿入されて、二つのプラグリング１４５により保持され、並びに該Ｖ形リング１４６によりピストン１７のボデーがシールされ、且つボデーの別端に連動係止片１８の係合部１８１と係合する係合環状溝が設けられている。
該固定ボルト１４４は雄ネジ部１４８を具えて該ピストンバルブ固定孔１１１にねじ込まれ、且つピストン載置筒１４３の雌ネジ部１４７に対応する雄ネジ部１４９を具え、並びに該雄ネジ部１４９により雌ネジ部１４７と螺合されて、内部がピストン載置筒１４３と共同で、ピストン１７の活動に供されるピストンルーム１４０を構成する。該ピストンルーム１４０は該上逆止め弁１５と該下逆止め弁１６に連通する。
偏心軸１９の偏心部１９１上の押圧回転輪１９３によりピストン１７がピストンルーム１４０内に向けて押圧される時、同時に連動係止片１８により対角位置のピストンバルブ１４のピストンルーム１４０内のピストン１７が外向きに引き出される。
ピストン１７の引出しによりピストンルーム１４０内の空間が増加する時、下逆止め弁１６は吸引されて開き、下凹環状溝１３２端の入液が下逆止め弁１６を通過し、吸液孔１４２よりピストンルーム１４０内に吸入され、及び、ピストン１７内でピストンルーム１４０の空間が縮小される時、上逆止め弁１５が押されて開き、ピストンルーム１４０内の液体が排液孔１４１より排出されて上逆止め弁１５を通過して上凹環状溝１２２に送られて加圧液体を送出する。ピストン１７がピストンルーム１４０内で高速で内に押し外に引っ張られる往復運動により、入液を高効率で加圧し送出する効果を達成する。
【００２２】
以上の実施例において、図４、１１のように、該ポンプシート１１上に、ピストンバルブ固定孔１１１と連通する各上位置決め孔１１２内には上逆止め弁１５が設けられ、該上位置決め孔１１２は、上穿孔１５０を通してピストンバルブ固定孔１１１に連通する。且つ該上逆止め弁１５は、カップ形上バルブシート１５１、上バルブゲート部品１５２、上バネ１５３及び上サポートフレーム１５４を包含する。
該カップ形上バルブシート１５１は、位置決めリング１５５を介して上位置決め孔１１２内に固定され、座体内にバルブルームが形成され、且つ座面の一端は上穿孔１５０と対応するように上バルブゲート孔１５６が設けられる。該上バルブゲート部品１５２は該カップ形上バルブシート１５１のバルブルーム内に設けられ、ゲート体辺縁はカップ形上バルブシート１５１のバルブルーム内で液体が通る空隙を保留し、且つ一面端は常態で該上バネ１５３の押圧により、上バルブゲート孔１５６に対して封鎖を形成している。
該上バネ１５３の一端は上バルブゲート部品１５２に対して押圧し、別端は該上サポートフレーム１５４上で弾性推力を発生する。
該上サポートフレーム１５４は、複数の支持足の非密封形態でカップ形上バルブシート１５１のバルブルーム内に取付けられて、上バネ１５３の当接に供され、且つその外端は上蓋１２の上凹環状溝１２２と対向し、並びに上蓋１２によりカップ形上バルブシート１５１のバルブルームからの退出が制限されて、上バネ１５３により上バルブゲート部品１５２に対する作用力が発生する。
ピストン１７が押圧回転輪１９３によりピストンルーム１４０内に向けて押圧されることで、排液孔１４１より、上穿孔１５０をとおり上バルブゲート孔１５６に到達した加圧後の液体が排出され、すなわち、上バルブゲート部品１５２が押圧されて上バルブゲート孔１５６が開かれ、これにより液体が迅速に上凹環状溝１２２へと圧送される。
この過程中、対角位置のピストン１７は連動係止片１８によりピストンルーム１４０より引き出される動作を開始し、該排液孔１４１の発生する負圧により、上バネ１５３が上バルブゲート部品１５２に上バルブゲート孔１５６を封じさせる動作を補助し、即刻上凹環状溝１２２内に圧送された加圧送出液の逆流を制限し、これにより入液の下逆止め弁１６からの進入を確保する。
【００２３】
上述の実施例において、図４、１２のように、該ポンプシート１１上に、ピストンバルブ固定孔１１１と連通する各下位置決め孔１１３内には下逆止め弁１６が設けられ、該下位置決め孔１１３は、下穿孔１６０を通してピストンバルブ固定孔１１１に連通する。且つ該下逆止め弁１６は、カップ形下バルブシート１６１、下バルブゲート部品１６２、下バネ１６３及び下サポートフレーム１６４を包含する。
該カップ形下バルブシート１６１は、位置決めリング１６５を介して下位置決め孔１１３内に固定され、座体内にバルブルームが形成され、且つ座面の一端に底蓋１３の下凹環状溝１３２と対応するように下バルブゲート孔１６６が設けられる。該下バルブゲート部品１６２は該カップ形下バルブシート１６１のバルブルーム内に設けられ、ゲート体辺縁はカップ形下バルブシート１６１のバルブルーム内で液体が通る空隙を保留し、且つ一端は常態で該上バネ１５３の押圧により、下バルブゲート孔に対して封鎖を形成している。
該下バネ１６３の一端は下バルブゲート部品１６２に対して押圧し、別端は該下サポートフレーム１６４に当接して弾性推力を発生する。
該下サポートフレーム１６４は、複数の支持足の非密封形態でカップ形下バルブシート１６１のバルブルーム内に取付けられて、下バネ１６３の当接に供され、且つ下穿孔１６０と対向するように設置された下位置決め孔１１３の底部によりそれに対して限定され、下バネ１６３が下バルブゲート部品１６２に対する作用力を発生する。
ピストン１７により連動係止片１８がピストンルーム１４０より引き出されて、ピストンルーム１４０の容積が増加すると、吸液孔１４２の発生する吸液動作力は、下バルブゲート部品１６２を吸引する時に、下凹環状溝１３２内の入液をカップ形下バルブシート１６１のゲートルームと下穿孔１６０に流し、吸液孔１４２よりピストンルーム１４０内に充満させる。
この過程中、対角位置のピストン１７は押圧回転輪１９３によりピストンルーム１４０内に向けて押圧動作を開始し、該ピストンルーム１４０内の液体が加圧された結果、下バネ１６３の反対方向の押圧の補助の下、下バルブゲート部品１６２が下バルブゲート孔１６６を封じ、即刻液体の下凹環状溝１３２への逆流を阻止する。こうして加圧された液体の上逆止め弁１５からの送出利用を確保する。
【００２４】
以上の実施例において、図１、２のように、該電動モータ２０はポンプ主体１０の上蓋１２の上部に取付けられ、該電動モータ２０の取付け端にさらにブシュ２２が固定され、該ブシュ２２に、ポンプ主体１０の上蓋１２上部の固定孔１２３に対応するボルト孔２２０が設けられ、ボルト２２１がボルト孔２２０に通されて固定孔１２３にねじ込まれることで、ブシュ２２が固定され、これにより、電動モータ２０が簡単にポンプ主体１０に取付けられて偏心軸１９を駆動する回転動力を提供する。
【００２５】
総合すると、本考案の構造特徴及び各実施例はいずれもすでに詳細に開示され、十分に本考案が目的及び作用効果上、いずれも深い実施上の進歩性を有し、産業上の利用価値を極めて有することが明かとされ、且つ現在市場にはいまだその運用が見受けられず、特許法の精神の記述に基づき、本考案は完全に実用新案の要件に符合する。
【符号の説明】
【００２６】
１０  ポンプ主体              １１  ポンプシート
１１０  中心孔                １１１  ピストンバルブ固定孔
１１２  上位置決め孔          １１３  下位置決め孔
１１４  出液貫通孔            １１５  入液貫通孔
１１６  出液接続孔            １１７  入液接続孔
１２  上蓋                    １２０  軸受座孔
１２１  軸受                  １２２  上凹環状溝
１２３  固定孔                １３  底蓋
１３０  軸受座溝              １３１  軸受
１３２  下凹環状溝            １４  ピストンバルブ
１４０  ピストンルーム        １４１  排液孔
１４２  吸液孔                １４３  ピストン載置筒
１４４  固定ボルト            １４５  プラグリング
１４６  Ｖ形リング            １４７  雌ネジ部
１４８  雄ネジ部              １４９  雄ネジ部
１５  上逆止め弁              １５０  上穿孔
１５１  カップ形上バルブシート    １５２  上バルブゲート部品
１５３  上バネ                １５４  上サポートフレーム
１５５  位置決めリング        １５６  上バルブゲート孔
１６  下逆止め弁              １６２  下バルブゲート部品
１６３  下バネ                １６４  下サポートフレーム
１６５  位置決めリング        １６６  下バルブゲート孔
１７  ピストン                １７０  係合リング溝
１８  連動係止片              １８０  長円孔
１８１  係合部                １９  偏心軸
１９０  接合部                １９１  偏心部
１９２  中心棒部              １９３  押圧回転輪
２０  電動モータ              ２１  回転軸
２２  ブシュ                  ２２０  ボルト孔
２２１  ボルト
【図１】
0003170418.tif 000003
【図２】
0003170418.tif 000004
【図３】
0003170418.tif 000005
【図４】
0003170418.tif 000006
【図５】
0003170418.tif 000007
【図６】
0003170418.tif 000008
【図７】
0003170418.tif 000009
【図８】
0003170418.tif 000010
【図９】
0003170418.tif 000011
【図１０】
0003170418.tif 000012
【図１１】
0003170418.tif 000013
【図１２】
0003170418.tif 000014